(57)【要約】【課題】遊技球供給皿の遊技球を球抜きしながら遊技球を遊技領域へ発射させることができ、また遊技球供給皿及び遊技球誘導経路に残った全ての遊技球を球抜きすることも可能となる弾球遊技機を提供する。【解決手段】遊技球を遊技領域に発射する発射手段と、遊技球を貯留する遊技球供給皿３２と、遊技球供給皿３２と通じて該遊技球供給皿３２の遊技球を発射手段へ誘導する遊技球誘導経路４２とを備え、遊技球誘導経路４２には遊技球を発射手段の発射位置へ送り込む球送り手段を備えると共に、球送り手段よりも上流側に遊技球誘導経路４２内の遊技球を抜き取るための球抜き口４４と、該球抜き口４４の開閉を行う開閉手段とを備えるものであって、遊技球誘導経路４２を流下する遊技球が球抜きのために開口した球抜き口４４を飛び越し可能となるようにする球抜き口飛び越し可能手段を遊技球誘導経路４２に設けた。【選択図】図１６
2005230581.tif 000002
【特許請求の範囲】
【請求項１】
遊技球を遊技領域に発射する発射手段と、遊技球を貯留する遊技球供給皿と、前記遊技球供給皿と通じて該遊技球供給皿の遊技球を前記発射手段へ誘導する遊技球誘導経路とを備え、
前記遊技球誘導経路には、前記遊技球を発射手段の発射位置へ送り込む球送り手段を設けると共に、前記球送り手段よりも上流側に遊技球誘導経路内の遊技球を抜き取るための球抜き口と、該球抜き口の開閉を行う開閉手段とを設けた弾球遊技機であって、
前記遊技球誘導経路を流下する遊技球が球抜きのために開口した球抜き口を飛び越し可能となるようにする球抜き口飛び越し可能手段を、前記遊技球誘導経路に設けたことを特徴とする弾球遊技機。
【請求項２】
球抜き口飛び越し可能手段は、球抜き口よりも上流側の遊技球誘導経路の底面を前記球抜き口より下流側の遊技球誘導経路の底面よりも高く設定して下流側へ向けて傾斜させると共に、前記遊技球誘導経路を流下する遊技球が球抜きのために開口した球抜き口を飛び越し可能なように、前記球抜き口よりも上流側における遊技球誘導経路の底面の傾斜角度及び球抜き口の大きさを調節した構成からなることを特徴とする請求項１に記載の弾球遊技機。
【請求項３】
球送り手段は、遊技球誘導経路で導かれてきた遊技球を受け止める球受け部を有し、該球受け部で受け止めた遊技球を発射手段の発射位置へ送り込むものあって、球抜き口が前記球送り手段の上流側直前に位置することを特徴とする請求項１又は２に記載の弾球遊技機。
【請求項４】
球抜き口より下流側に遊技球が停留している場合に、開口中の球抜き口を飛び越してきた遊技球が球抜き口より下流側に停留する遊技球に衝突して球抜き口に落下するようにされたことを特徴とする請求項２又は３に記載の弾球遊技機。
【請求項５】
球抜き口の上流側直前の遊技球誘導経路の底面と、球送り手段の球受け部上面との間で、球抜き口開閉手段の球抜き口開閉板を球抜き口に前進突出及び後退可能とし、前記球受け部の上面には該球受け部上面の遊技球を球抜き口側へ転動させる傾斜若しくは湾曲を設け、前記球受け部上面で受け止めた遊技球を前記球抜き口へ突出した球抜き口開閉板の球受け部側側部に当接させることにより遊技球が球抜き口へ転動落下するのを阻止し、前記球抜き口からの球抜き口開閉板の後退により前記球受け部上面の遊技球が球抜き口内へ転動落下可能となるようにしたことを特徴とする請求項３又は４に記載の弾球遊技機。
【発明の詳細な説明】
【技術分野】
【０００１】
この発明は、パチンコ遊技機等の弾球遊技機に関し、特には遊技機の遊技球供給皿に溜まった遊技球を球抜きすると同時に遊技球を遊技盤に向けて発射させることのできる弾球遊技機に関する。
【背景技術】
【０００２】
従来におけるパチンコ遊技機等の弾球遊技機は、遊技球を遊技領域に発射する発射手段と、遊技球を貯留する遊技球供給皿と、前記遊技球供給皿と通じて該遊技球供給皿の遊技球を前記発射手段へ誘導する遊技球誘導経路とを備え、前記遊技球誘導経路には、前記遊技球を発射手段の発射位置へ送り込む球送り手段が設けられている。また、前記遊技球供給皿から遊技球誘導経路への途中には遊技球供給皿の遊技球を抜き取る球抜き口と、該球抜き口の開閉を行う開閉手段とを備えている。通常時、前記球抜き口は閉じた状態とされ、前記遊技球供給皿からの遊技球が遊技球誘導経路を経て発射手段へ誘導されるようになっている。そして、前記開閉手段によって球抜き口が開口されたときには、前記遊技球供給皿の遊技球が球抜き口から抜き取られて発射装置に供給されなくなって、遊技の継続が難しくなる。
【０００３】
なお、この種の弾球遊技機においては、前記遊技球供給皿の下方に下側球受け皿が設けられ、遊技の中止等の際に前記球抜き口の開閉手段を操作して球抜き口を開口させることにより、前記遊技球供給皿の遊技球を球抜き口から下側球受け皿へ排出できるようになっている。また、前記下側球受け皿は、前記遊技球供給皿に収容しきれない遊技球を収容するのにも用いられる。
【０００４】
ところで、遊技者は、前記遊技球供給皿の遊技球を抜き取りながらも遊技を継続させたい場合がある。例えば、遊技の状態が好調であるにもかかわらず、時間の都合でやむを得ず遊技を中止しなければならない場合に、遊技球供給皿の遊技球が全て球抜きされるぎりぎりの時点まで遊技を継続したいことがある。
【０００５】
しかしながら、従来の弾球遊技機においては、球抜き口を開口させた場合、遊技球供給皿の遊技球が全て球抜き口から下側球受け皿へ球抜きされてしまい、前記球抜き口より下流に残った４〜５球程度の遊技球を発射できるにすぎなかった。そのため、従来の弾球遊技機では、球抜きを行いながらも遊技を継続したいという遊技者の要求に充分に応えられない問題がある。
【０００６】
また、遊技者は、前記遊技球供給皿及び遊技球誘導経路に存在する全ての遊技球を球抜きしたい場合もある。しかし、従来の遊技機においては、前記球抜き口の開口操作により球抜きをしても、前記球抜き口より下流側には４〜５球程度の遊技球が残るため、その残存遊技球については、諦めて遊技領域へ発射させる無駄打ちを行うか、遊技領域へ到達しないように弱く発射させて下側球受け皿へ回収されるようにしなければならなかった。そのため、遊技者は発射させたくないのに発射させねばならないことに対して不愉快に思ったり、発射手段の強度を調節して遊技球を回収しなければならないことに対して煩わしく思ったり、さらには発射強度の調節失敗によって遊技球を遊技領域に発射してしまって損をしたと思ったりすることがある。
【発明の開示】
【発明が解決しようとする課題】
【０００７】
この発明は、このような状況に鑑み提案されたもので、第一には遊技球供給皿の遊技球を球抜きしながらも遊技球を遊技領域へ発射させることができ、第二には遊技球供給皿及び遊技球誘導経路に残った全ての遊技球を球抜きすることも可能となる弾球遊技機を提供する。
【課題を解決するための手段】
【０００８】
請求項１の発明は、遊技球を遊技領域に発射する発射手段と、遊技球を貯留する遊技球供給皿と、前記遊技球供給皿と通じて該遊技球供給皿の遊技球を前記発射手段へ誘導する遊技球誘導経路とを備え、前記遊技球誘導経路には、前記遊技球を発射手段の発射位置へ送り込む球送り手段を設けると共に、前記球送り手段よりも上流側に遊技球誘導経路内の遊技球を抜き取るための球抜き口と、該球抜き口の開閉を行う開閉手段とを設けた弾球遊技機であって、前記遊技球誘導経路を流下する遊技球が球抜きのために開口した球抜き口を飛び越し可能となるようにする球抜き口飛び越し可能手段を、前記遊技球誘導経路に設けたことを特徴とする。
【０００９】
請求項２の発明は、請求項１において、球抜き口飛び越し可能手段は、球抜き口よりも上流側の遊技球誘導経路の底面を前記球抜き口より下流側の遊技球誘導経路の底面よりも高く設定して下流側へ向けて傾斜させると共に、前記遊技球誘導経路を流下する遊技球が球抜きのために開口した球抜き口を飛び越し可能なように、前記球抜き口よりも上流側における遊技球誘導経路の底面の傾斜角度及び球抜き口の大きさを調節した構成からなることを特徴とする。
【００１０】
また、請求項３の発明は、請求項１又は２において、球送り手段は、遊技球誘導経路で導かれてきた遊技球を受け止める球受け部を有し、該球受け部で受け止めた遊技球を発射手段の発射位置へ送り込むものあって、球抜き口が前記球送り手段の上流側直前に位置することを特徴とする。
【００１１】
請求項４の発明は、請求項２又は３において、球抜き口より下流側に遊技球が停留している場合に、開口中の球抜き口を飛び越してきた遊技球が球抜き口より下流側に停留する遊技球に衝突して球抜き口に落下するようにされたことを特徴とする。
【００１２】
請求項５の発明は、請求項３又は４において、球抜き口の上流側直前の遊技球誘導経路の底面と、球送り手段の球受け部上面との間で、球抜き口開閉手段の球抜き口開閉板を球抜き口に前進突出及び後退可能とし、前記球受け部の上面には該球受け部上面の遊技球を球抜き口側へ転動させる傾斜若しくは湾曲を設け、前記球受け部上面で受け止めた遊技球を前記球抜き口へ突出した球抜き口開閉板の球受け部側側部に当接させることにより遊技球が球抜き口へ転動落下するのを阻止し、前記球抜き口からの球抜き口開閉板の後退により前記球受け部上面の遊技球が球抜き口内へ転動落下可能となるようにしたことを特徴とする。
【発明の効果】
【００１３】
請求項１の発明に係る弾球遊技機においては、遊技球供給皿の遊技球を発射手段へ誘導する遊技球誘導経路に、遊技球を発射手段の発射位置に送り込む球送り手段と該球送り手段の上流側に遊技球を抜き取るための球抜き口とを備えており、前記遊技球誘導経路には該誘導経路を流下する遊技球が球抜き口を飛び越し可能にする球抜き口飛び越し可能手段が設けられているため、球抜き口から球抜きしながらも遊技球を球送り手段に送って遊技領域に向け発射させることができる。したがって、球抜きを行いながらも遊技を継続したいという遊技者の要求に充分に応えることができる。
【００１４】
また、請求項２の発明においては、球抜き口飛び越し可能手段が、球抜き口よりも上流側の遊技球誘導経路の底面を前記球抜き口よりも下流側の遊技球誘導経路の底面よりも高く設定して下流側へ向けて傾斜させると共に、前記球抜き口よりも上流側における遊技球誘導経路の底面の傾斜角度及び球抜き口の大きさを調整した構成からなるため、球抜きしながら遊技球を遊技領域へ発射させることができる弾球遊技機を、複雑な構造とすることなく、加えてコストアップを抑えて実現することができる。
【００１５】
さらに、請求項３の発明においては、球抜き口が球受け部で受け止めた遊技球を発射手段の発射位置へ送り込む球送り手段の上流側直前に位置しているため、遊技球を遊技領域に向けて発射させることなく球抜きを行う場合、前記球送り手段の球受け部に停留する遊技球以外であって遊技球供給皿及び遊技球誘導経路に残った全ての遊技球を前記球抜き口から球抜きすることが可能となる。
【００１６】
加えて、請求項４の発明においては、球抜き口より下流側に遊技球が停留している場合には、開口中の球抜き口を飛び越してきた遊技球が球抜き口より下流側に停留する遊技球に衝突して球抜き口に落下するようにされているため、確実に球抜きしながら遊技球を発射させることができる。
【００１７】
さらに加えて、請求項５の発明においては、球送り機構の球受け部上面で受け止めた遊技球を、球抜き口へ突出した球抜き口開閉板の球受け部側側部に当接させて遊技球が球抜き口へ転動落下するのを阻止し、また球抜き口からの球抜き口開閉板の後退時には前記球受け部上面の遊技球が球抜き口内へ転動落下可能となるように構成したため、球抜きすることなく遊技を行う場合には、最後の１球まで確実に遊技球を発射させることができ、他方、遊技球を発射させることなく球抜きを行う場合には、最後の１球まで簡単かつ確実に球抜きすることができる。
【発明を実施するための最良の形態】
【００１８】
以下添付の図面に基づきこの発明の好適な実施形態を説明する。
図１はこの発明の一実施例に係るパチンコ遊技機全体の斜視図、図２は同パチンコ遊技機における一部部品を取り外した状態の全体正面図、図３は同パチンコ遊技機の遊技球供給皿付近を示す斜視図、図４は同パチンコ遊技機の遊技球供給皿の取付板を省略して示す遊技球供給皿の裏側正面図、図５は球送りカセットの分解斜視図、図６は球送りカセットの蓋部材と基体の裏側正面図、図７は球送りカセットと押し上げ部を示す斜視図、図８は球送りカセットと発射レールが組み付けられた状態を示す斜視図、図９は球送りカセットの裏側正面図、図１０は発射装置の分解斜視図、図１１は通常時の遊技球供給状態について遊技球供給皿の取付板を省略して示す遊技球供給皿の裏側正面図、図１２はその取付板と共に示す遊技球供給皿のＡ−Ａ概略断面図、図１３は打球槌が発射位置にあるときの打球槌と球送りカセットを示す遊技機正面側からの要部正面図およびその要部のＢ−Ｂ断面図、図１４は打球槌が発射準備位置にあるときの打球槌と球送りカセットを示す遊技機正面側からの要部正面図およびその要部のＣ−Ｃ断面図、図１５は打球槌が発射位置に復帰したときの打球槌と球送りカセットを示す遊技機正面側からの要部正面図およびその要部のＤ−Ｄ断面図、図１６は球抜き時の状態について遊技球供給皿の取付板を省略して示す遊技球供給皿の裏側正面図、図１７はその取付板と共に示す遊技球供給皿のＥ−Ｅ概略断面図である。
【００１９】
図１及び図２に示すパチンコ遊技機１は、枠体２の内側に遊技盤３が着脱交換可能に収容されており、その遊技盤３に遊技球の外側誘導レール４及び内側誘導レール５が略円形に立設され、遊技盤面３ａの前記外側誘導レール４と内側誘導レール５によって囲まれた遊技領域６の中心線上にその上部から下部に向かって順に画像表示装置９、普通電動役物である第１種始動入賞口１０，１１、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００２０】
また、前記枠体２の前面側には、ガラス枠３１、払い出された遊技球を受けて後述する発射装置Ｈ（この発明の発射手段に相当する。）に供給するための遊技球供給皿（上側球受け皿とも称される。）３２、該遊技球供給皿３２を取り付けるための取付板３３、前記遊技球供給皿３２の飽和時に遊技球を受けるための下側球受け皿３４、遊技状態を報知するランプ表示器３５、音声や効果音を発して遊技状態を遊技者に報知するスピーカ（図示せず）、不正行為等の防止のために枠体２を着脱不可能若しくは開閉不可能にするための鍵３７、遊技者の発射操作に応じて遊技球を遊技盤３の遊技領域６に向けて発射する発射装置Ｈ等がそれぞれ組み付けられている。
【００２１】
なお、図中の画像表示装置９に関し符号４１は数字，アルファベット，記号あるいは絵等の図柄を変動表示及び停止表示可能な普通図柄表示装置、６０は液晶表示盤（ドットマトリックス表示器）等の画像表示部からなる特別図柄表示装置であり、さらに符号３６はファウルカバー、３８は遊技球供給皿３２に遊技球を払い出す遊技球払出口、３９は下側球受け皿３４に遊技球を払い出す遊技球払出口である。前記特別図柄表示装置６０を構成する画像表示部は、前記のような液晶表示盤に限られるものではなく、ＬＥＤ、ＥＬ、ＣＲＴやその他発光体で構成されていてもよい。
【００２２】
前記遊技盤３の背面（裏面）には、図示しないが、前記下側の第１種始動入賞口１１を開閉する第１種始動入賞口用ソレノイドが設けられているとともに、前記第１種始動入賞口１０，１１に入賞した球を検出するフォトセンサや近接スイッチ等よりなる始動入賞口用入賞球検出手段が入賞球用通路に設けられており、該入賞球の検出によって前記特別図柄表示装置６０の図柄変動を開始するようになっている。さらに、前記普通図柄変動開始用左ゲート１９及び普通図柄変動開始用右ゲート２１はフォトセンサや近接スイッチ等よりなるゲート用入賞球検出手段を備え、該ゲート用入賞球検出手段で両ゲート１９，２１を通過する遊技球を検出することによって前記普通図柄表示装置４１の図柄変動を開始させるようになっている。そして、前記普通図柄表示装置４１の図柄変動の後に停止表示された図柄が予め設定されている特定の図柄であった場合には、普通図柄の当たりとなり、前記第１種始動入賞口１１の拡開開放を所定時間行うようになっている。
【００２３】
また、前記遊技盤３の大入賞口１５の背面側には、前記大入賞口１５の開閉板を開閉する大入賞口開放用ソレノイドと、前記大入賞口１５内の一部に形成された特定領域入賞口及びその開閉扉を所定条件時に開閉するための特定領域開放用ソレノイドとが設けられている。またさらに、前記特定領域入賞口への入賞球を検出するフォトセンサや近接スイッチ等よりなる特定領域入賞口用入賞球検出手段（特定入賞球検出スイッチ）が、前記大入賞口１５の背面側に設けられ、該入賞球の検出により大入賞口１５を再度開ける継続権利が成立するようにされているとともに、大入賞口１５への入賞球数を検出する大入賞口用入賞球検出手段（入賞球数カウントスイッチ）が設けられている。
【００２４】
前記大入賞口１５は次のように作動する。まず、前記第１種始動入賞口１０，１１に遊技球が入賞し、始動入賞口用入賞球検出手段によって入賞球が検出されると、前記特別図柄表示装置６０で複数の特別図柄の変動を開始する。そして、所定時間変動後、前記複数の特別図柄が変動停止して、停止図柄が特別図柄表示装置６０に確定表示される。そのときの確定表示図柄の組合せが、あらかじめ決められた特定の大当たり組合せ、例えば、同一図柄の組合せからなる通称ゾロ目になると、大当たりが成立する。大当たりになると、前記大入賞口１５の開閉板が下部を回動支点として開いて遊技領域６を落下してくる遊技球を受け止め、大入賞口１５内へ入賞可能にする。
【００２５】
また、この実施例の遊技盤３の背面側においては、前記左袖入賞口２３に接続された左袖入賞口入賞球用通路と、右袖入賞口２５に接続された右袖入賞口入賞球用通路に、フォトセンサや近接スイッチ等よりなる左袖入賞口用入賞球検出手段と右袖入賞口用入賞球検出手段が設けられている。さらに、左落とし入賞口２７に接続された左落とし入賞口入賞球用通路と、右落とし入賞口２９に接続された右落とし入賞口入賞球用通路に、フォトセンサや近接スイッチ等よりなる左落とし入賞口用入賞球検出手段と右落とし入賞口用入賞球検出手段が設けられている。また、この実施例では、それぞれの入賞口における入賞球の検出結果に基づいて所定数の賞品球が払い出されるようになっている。
【００２６】
さらに、この実施例では、前記のように各入賞口のそれぞれに検出手段を設けているが、この発明のパチンコ遊技機はこれに限られるものではない。例えば、各入賞口の入賞球を１カ所に集めて検出し、その入賞球の累積計算を行うようにしてもよい。
【００２７】
なお、図中の符号８５は発射球誘導路、８６は発射球逆流防止手段、８７は逆流防止片、８８は発射レール、１０５はミドルプレートである。
【００２８】
加えて、前記遊技機１内には、それぞれの入賞口における入賞球の検出結果に基づいて所定数の賞品球を払い出す賞品球払出装置と、球貸情報の記録されたプリペイドカードがプリペイドカードユニット１５０のカード挿入口１５１に投入された状態で、遊技者がボタン等の操作を行うことにより、所定数の貸球を払い出す貸球払出装置とを備えている。前記賞品球払出装置又は貸球払出装置により払い出された遊技球は、遊技球払出口３８から遊技球供給皿３２に払い出され、該遊技球供給皿３２の遊技球貯留部３２ａに貯留される。
【００２９】
前記遊技球供給皿３２は、遊技球を所要量貯留できる大きさからなり、図３に示すように、その左側に前記遊技球払出口３８が設けられ、反対の右側下部が取付板３３の通孔３３ａを介して遊技球供給皿３２の裏側へ通じ、遊技球供給皿３２内の遊技球を遊技球供給皿３２の裏側へ誘導するようになっている。前記遊技球供給皿３２の内部底面３２ｄの形状は、遊技球が前記通孔側へ転動するように遊技球払出口３８側から通孔３３ａ側にかけて低くされ、また遊技球が一列に整列して通孔３３ａを通るように、前後幅が通孔３３ａ側で狭くされている。
【００３０】
前記遊技球供給皿３２の外側前面には、遊技者が貸球の払出操作を行う球貸出操作部１５２が設けられている。この球貸出操作部１５２には、度数表示器１５３、球貸出ボタン１５４、カード返却ボタン１５５が設けられている。また、前記遊技球供給皿３２の右側上面には、この遊技球供給皿３２の遊技球を球抜きして前記下側球受け皿３４へ移すための球返却ボタンＲが設けられている。
【００３１】
また、前記遊技球供給皿３２の裏側には、前記取付板３３の通孔３３ａと連通する球送りカセットＫ（図４等に示す）が取付板３３の裏側（遊技機裏側）に設けられている。この球送りカセットＫについて、主として図４ないし図９を用いて、以下に詳述する。
【００３２】
前記球送りカセットＫは、前記取付板３３を省略して示す図４のように、遊技球供給皿３２の裏側に取付板３３（図４では図示せず）を介してねじ４１Ａ，４１Ｂにより螺着されている。この球送りカセットＫ内には、前記取付板３３の通孔３３ａを介して遊技球供給皿３２と通じ、該遊技球供給皿３２の遊技球を発射装置Ｈへ誘導する遊技球誘導経路４２が形成されており、また、前記遊技球誘導経路４２に、前記遊技球を発射装置Ｈの発射位置へ送り込む球送り手段としての球送り機構Ｔが設けられている。
【００３３】
前記球送りカセットＫは、図５及び図６から明らかなように、蓋部材Ｋ１と基体Ｋ２とで構成され、該基体Ｋ２側が取付板３３の裏側に固定される。前記蓋部材Ｋ１は、左右方向の一端側に基体Ｋ２との連結用軸部Ｋ３が形成され反対側に基体Ｋ２への係止用孔Ｋ４が形成されている。
【００３４】
前記基体Ｋ２は、前記蓋部材Ｋ１側が開口した箱状からなり、左右方向一端側に前記蓋部材Ｋ１の連結用軸部Ｋ３が挿入される軸受け部Ｋ３ａが形成され、また、該基体Ｋ２内の背面Ｋ５には、前記蓋部材Ｋ１の係止用孔Ｋ４へ係止する係止爪Ｋ６が形成されている。さらに、前記基体Ｋ２内の背面Ｋ５には、遊技球誘導経路底面４２１とカセット側通孔Ｋ７が形成されている。前記遊技球誘導経路底面４２１は、前記蓋部材Ｋ１側へ向けてリブ状に、かつ左右方向一側から他側へ向けて斜め下方へ傾斜した所定長さで突出形成されており、該遊技球誘導経路底面４２１の上側が蓋部材Ｋ１と基体Ｋ２間で遊技球誘導経路４２を構成している。また、前記カセット側通孔Ｋ７は、前記遊技球誘導経路４２の上流側位置において、前記取付板３３の通孔３３ａと重なるように形成され、前記遊技球供給皿３２の遊技球が取付板３３の通孔３３ａ及びカセット側通孔Ｋ７を通って球送りカセットＫ内の遊技球誘導経路４２に誘導されるようになっている。なお、図５に示すように、前記基体Ｋ２のカセット側通孔Ｋ７と対向する蓋部材Ｋ１の内面には、前記カセット側通孔Ｋ７を通って球送りカセットＫ内に誘導された遊技球をスムーズに遊技球誘導経路４２へ導くための湾曲したガイド面Ｋ８が形成されている。図６における符号Ｋ９は、前記基体Ｋ２内の背面Ｋ５から突出形成された上側仕切であり、前記遊技球誘導経路４２の上面を構成し、球送り機構Ｔ側上方に至る。
【００３５】
さらに、前記基体Ｋ２内の背面Ｋ５の下部には、球抜き経路４３を構成する球抜き経路用仕切Ｋ１０，Ｋ１１が形成されている。前記球抜き経路４３の上端は、前記遊技球誘導経路４２の下端位置で開口する球抜き口４４を構成し、下端は前記蓋部材Ｋ１の下部に形成された球抜き用通孔Ｋ１２（図７に示す）に通じるようになっており、この球抜き用通孔Ｋ１２が図示しない樋部材を介して前記下側球受け皿３４に通じるようにされる。
【００３６】
前記球抜き経路４３を構成する二つの仕切Ｋ１０，Ｋ１１のうち、前記遊技球誘導経路４２の上流側となる仕切Ｋ１０については、前記遊技球誘導経路底面４２１の下端まで形成され、それに対して前記遊技球誘導経路４２の下流側となる仕切Ｋ１１については、球抜き経路４３の上方途中までしか形成されてなく、前記球抜き経路４３の残りの上部を構成する仕切Ｋ１３（図５に示す）については、前記蓋部材Ｋ１側に形成されている。さらに、前記蓋部材Ｋ１側に形成された仕切Ｋ１３の上端位置は、前記遊技球誘導経路底面４２１の下端より低くされている。
【００３７】
前記球抜き口４４の位置する基体Ｋ１の背面Ｋ５には、開閉板用開口Ｋ１４が形成され、図１２に示すように、球抜き口開閉手段としての球抜き口開閉板４６が球抜き口４４内に対し前進後退可能に設けられる。この実施例では、球抜き口開閉板４６は、前記遊技球供給皿３２の下部に収容されたスプリングＳにより、前記球抜き口４４を塞ぐように前進方向へ付勢され、前記遊技球供給皿３２の上部外面の球返却ボタンＲの押し下げにより動くリンク機構４７によって後退し、前記球抜き口４４を開くようになっている。なお、前記球抜き口開閉板４６が前進して球抜き口４４を塞ぐことにより、前記遊技球誘導経路底面４２１を転動してくる遊技球は前記球抜き口開閉板４６上を通ってさらに下流へ転動する。
【００３８】
前記球抜き口４４に隣接する下流側位置には、球送り手段としての球送り機構Ｔが設けられる。この球送り機構Ｔが設けられる部位では、前記基体Ｋ２内の背面Ｋ５に一対の球送り機構軸受けＫ１５，Ｋ１６が形成されると共に、該球送り機構軸受けＫ１５，Ｋ１６と対向する前記蓋部材Ｋ１の部分は、切り欠かれて発射手段側遊技球出口Ｋ１７（図７に示す）として開口している。また前記上側仕切Ｋ９の下流側部分は、後述の球送り機構Ｔの球受け部Ｔ２との間に遊技球１個分収容可能な空間を残して設けられ、さらに後述の球送り機構Ｔの本体部Ｔ１の下流側に隣接する位置で垂下して立壁Ｋ１８を構成している。
【００３９】
前記球送り機構Ｔは、縦に分割された半円板の上半部円周側を切り欠いて側面視略Ｊ字形状にし、頂部外周面の小円弧で構成される部分を球受け部Ｔ２とし、上下中間位置の切り欠きからなる湾曲窪み部分を球送り部Ｔ３とした本体部Ｔ１と、該本体部Ｔ１の中心付近に挿通されて本体部Ｔ１の両側へ所要量突出した支軸Ｔ４と、該支軸Ｔ４から離れた前記球送り部Ｔ３の外周寄りに一端が挿通固定されて支軸Ｔ４と平行にされた揺動用軸部材Ｔ５及び該揺動用軸部材Ｔ５の他端先端に装着された回転可能な筒体Ｔ６とで構成される。前記球受け部Ｔ２の上面Ｔ２ａは、前記本体部Ｔ１が垂直となって球受け部Ｔ２が真上に位置する際に遊技球を一旦受けることができる大きさとなっている。また、前記球送り部Ｔ３については、前記支軸Ｔ４を中心として球送り部Ｔ３側が上方へ所要量揺動した時に、前記球送り部Ｔ３の窪んだ上面に遊技球を１個保持できるようになっていると共に、前記本体部Ｔ１が垂直に戻った際には、それまで保持していた遊技球を球送り部Ｔ３の上面から球送りカセットＫ裏側の発射位置へ転がり出せる傾斜状態となるように形成されている。
【００４０】
前記構成の球送り機構Ｔは、前記球受け部Ｔ２を上向きにし、かつ前記球送り部Ｔ３を球送りカセットＫの発射手段側遊技球出口Ｋ１７に位置させて、前記支軸Ｔ４の両端が基体Ｋ２内背面Ｋ５の球送り機構軸受けＫ１５，Ｋ１６に嵌着される。このようにして取り付けられた球送り機構Ｔは、図７及び図８に示すように、前記発射レール８８に軸着された打球槌連動部材５０の押し上げ部５０Ｂの先端上側に、前記揺動用軸部材Ｔ５の筒体Ｔ６が位置する。そして、前記打球槌連動部材５０の連動レバー部５０Ａが後述する発射装置Ｈの打球槌Ｈ３の動きに連動して揺動することによって、前記押し上げ部５０Ｂが上下に揺動し、その揺動に合わせて前記押し上げ部５０Ｂの先端上側の揺動用軸部材Ｔ５が上方に押し上げられたり、下方の元の位置に戻ったりする。すなわち、前記球送り機構Ｔは揺動用軸部材Ｔ５が上方へ押し上げられることにより、前記支軸Ｔ４を中心にして、前記球送り部Ｔ２が球送りカセットＫの蓋部材Ｋ１側の上方へ揺動すると共に球受け部Ｔ２が球送りカセットＫの基体Ｋ２側へ揺動し、また前記揺動用軸部材Ｔ５による押し上げ解除により、前記球送り部Ｔ３側が下方の元の位置へ揺動すると共に、前記球受け部Ｔ２が元の真上の位置となり、前記本体部Ｔ１が垂直状態に戻る。
【００４１】
前記発射レール８８は、その下端が前記球送りカセットＫにおける発射手段側遊技球出口Ｋ１７の下側に位置するようにして、前記遊技球供給皿３２の裏側に球送りカセットＫと組み合わされて取り付けられ、前記球送り機構Ｔの球送り部Ｔ３により発射手段側遊技球出口Ｋ１７を通って送り込まれてくる遊技球を、当該発射レール８８の下部上面の発射位置に一旦保持するようになっている。
【００４２】
さらに、この発明では、前記遊技球誘導経路４２に球抜き口飛び越し可能手段が設けられている。この球抜き口飛び越し可能手段は、前記球抜き口開閉板４６の後退により、前記球抜き口４４が開口した場合に、前記遊技球誘導経路４２を流下してくる遊技球が、開口している球抜き口４４を飛び越えて下流側（この実施例では球送り機構Ｔの球受け部Ｔ２）へ至ることが可能なようにするものである。この実施例における球抜き口飛び越し可能手段は、図９に示すように、前記球抜き口４４よりも上流側の遊技球誘導経路底面４２１を、球抜き口４４より下流側の遊技球誘導経路の底面（この実施例では前記球送り機構Ｔの球受け部Ｔ２）よりも高くし、かつ下流側へ傾斜させると共に、前記傾斜した遊技球誘導経路４２を流下してきた遊技球が、前記開口した球抜き口４４を飛び越し可能な速度となるように、前記球抜き口４４よりも上流側の遊技球誘導経路底面４２１の傾斜角度Ｖ及び球抜き口４４の大きさ（開口幅）Ｗを調節している。具体的にこの実施例では、前記球送り機構Ｔの球受け部Ｔ２上面に対する前記球抜き口４４の上流側直前の遊技球誘導経路底面４２１の下流端の高さＨを約６．５ｍｍ、前記球抜き口４４よりも上流側の遊技球誘導経路底面４２１の傾斜角度Ｖを約５°、前記球抜き口４４の下流方向に沿う大きさ（開口幅）Ｗを約１６ｍｍとしている。なお、前記球抜き口飛び越し可能手段による球抜き口４４の飛び越しは、遊技球誘導経路４２を流下してくる遊技球の全てが開口中の球抜き口４４を飛び越さねばならないものではなく、時々飛び越し損ねて球抜き口４４へ落下することがあってもよい。また、この球抜き口飛び越し可能手段は、前記球抜き口４４より下流側に遊技球が停留している場合には、遊技球誘導経路を流下する遊技球が球抜き口４４を飛び越し不可能となっている。すなわち、この実施例では、前記球送り機構Ｔの球受け部Ｔ２に遊技球が停留している場合には、前記遊技球誘導経路４２を流下してきた遊技球が、後述するように球抜き口４４より下流側の球送り機構Ｔの球受け部Ｔ２に停留する遊技球に衝突して該球抜き口４４へ落下するため、球抜き口４４を飛び越すことができないものとなっている。
【００４３】
さらに、この実施例では、前記球抜き口開閉板４６の高さ位置は、前記球抜き口４４の上流側直前の遊技球誘導経路底面４２１の下流端と球送り機構Ｔの球受け部Ｔ２上面間とされている。また、前記球受け部Ｔ２の上面Ｔ２ａ（図５に示す）は上流の球抜き口４４へ向かって下向きに傾斜又は湾曲し、それによって前記球受け部Ｔ２上面Ｔ２ａの遊技球が球抜き口４４側へ誘導されるようになっている。
【００４４】
そして、前記球抜き口開閉板４６が前進して球抜き口４４を塞いでいる場合、すなわち球抜きを行っていない通常遊技時の場合には、前記遊技球誘導経路４２及び球抜き口開閉板４６上を転動して球受け部Ｔ２に至った遊技球Ｐ１は、該球受け部Ｔ２上面の形状によって球抜き口４４側へ転動しようとするが、前記球抜き口４４に蓋をするように突出している球抜き口開閉板４６の球受け部側側部４６ａに当接して、球抜き口４４側への移動が阻止され、正しく球受け部Ｔ２に保持されて発射位置への球送りが正常に行われる。そのため、最後の１球の遊技球が前記球受け部Ｔ２に供給されて、該遊技球が上流側から残りの遊技球で下流側へ押されない場合でも、遊技球を球受け部Ｔ２に正しく保持することができる。
【００４５】
それに対し、球抜き実施により、前記球抜き口開閉板４６が後退して球抜き口４４が開口し、その状態で最後の１球の遊技球が前記球抜き口４４を飛び越して球受け部Ｔ２上に供給された場合、前記球受け部Ｔ２上面の傾斜又は湾曲によって球抜き口４４側へ遊技球が転動して開口中の球抜き口４４へ落下するため、最後の１球まで確実に球抜きが行われる。
【００４６】
次に発射手段としての発射装置Ｈについて説明する。前記発射装置Ｈは、図１０に示すように、操作ハンドルＨ１と、該操作ハンドルＨ１に設けられて回転により弾発力を調節する操作レバーＨ６と、操作レバーＨ６の操作により駆動するステッピングモータ等からなる発射モータＨ２と、該発射モータＨ２の駆動により間欠的に揺動して遊技球を連続的に弾発発射する打球槌Ｈ３等を有している。図示の符号Ｈ４は発射装置制御基板、Ｈ５は操作ハンドルＨ１のハンドル本体、Ｈ７は遊技球の発射を強制的に停止するために操作ハンドルＨ１に設けられるオン・オフスイッチボタンからなる発射停止スイッチ、Ｈ８は発射モータＨ２のモータベース、Ｈ９は発射モータＨ２の回転軸（モータ軸）に直結される板カム、Ｈ１０は板カムＨ９と当接及び離間可能に打球槌Ｈ３に設けられた作動ピン、Ｈ１１は打球槌Ｈ３の揺動時の衝撃を吸収する上部ゴム、Ｈ１２は同じく下部ゴム、Ｈ１３は前記打球槌連動部材５０の連動レバー部５０Ａに係止されて該打球槌連動部材５０の押し上げ部５０Ｂを揺動させる操作針金、Ｈ１４は遊技球発射調節ダイヤル、Ｈ１５は打球槌Ｈ３と遊技球発射調節ダイヤルＨ１４間に張設される引張りバネ、Ｈ１６は遊技球発射調節ダイヤルＨ１４の回転量を変化させるプーリーユニット、Ｈ１７は遊技球発射調節ダイヤルＨ１４とプーリーユニットＨ１６を接続する線状伝達部材、Ｈ１８はベース、Ｈ１９はハンドルベースである。
【００４７】
上記発射装置Ｈの作動について説明する。前記板カムＨ９が回転する際に打球槌Ｈ３の作動ピンＨ１０が板カムＨ９の外周を転がり、それに伴って打球槌Ｈ３が引張りバネＨ１５の力に反して揺動する。また、前記打球槌Ｈ３の揺動に連動して打球槌連動部材５０の押し上げ部５０Ｂが揺動し、さらに該押し上げ部５０Ｂの揺動により前記のように球送りカセットの球送り機構Ｔが作動し、該球送りカセットＫから遊技球が前記発射レール８８下部の発射位置に１個ずつ送られる。そして、前記作動ピンＨ１０が板カムＨ９の外周から外れた瞬間に、引張りバネＨ１５の引張力により、打球槌Ｈ３を元の位置に戻すように揺動させ、その打球槌Ｈ３で、前記発射位置の遊技球を弾発して前記遊技領域６へ発射させる。この実施例では、前記発射モータＨ２の回転軸に直結されている板カムＨ９が１回転すると遊技球が１球発射されるようにされている。
【００４８】
次に、この実施例における通常時の遊技球供給状態時及び球抜時における球送り機構Ｔ等の作動について、図１１ないし図１７を用いて説明する。図１１及びそのＡ−Ａ断面を示す図１２のように、前記遊技球供給皿３２の球返却ボタンＲが押されていない、通常時の遊技球供給状態では、当該遊技球供給皿３２内の遊技球が前記取付板３３の通孔３３ａ及び球送りカセットＫの通孔Ｋ７を通って遊技球誘導経路４２を流下し、前記球抜き口４４を塞ぐように突出した球抜き口開閉板４６上をさらに流下して球送り機構Ｔの球受け部Ｔ２に至り、該球受け部Ｔ２の上面で受け止められ、後続の遊技球が遊技球誘導経路４２内に一列になって整列する。
【００４９】
そして、前記発射装置Ｈの操作レバーＨ６が遊技者により操作されると発射モータＨ２が駆動し、それによる前記板カムＨ９の回転によって打球槌Ｈ３が前記発射位置と、前記発射位置から離れた発射準備位置間を往復揺動する。その際、図１３に示すように、前記打球槌Ｈ３が発射位置にあるときは、前記球送り機構Ｔの本体部Ｔ１が垂直状態になって球受け部Ｔ２が真上に位置し、該球受け部Ｔ２上に遊技球が停留する。
【００５０】
図１４に示すように前記打球槌Ｈ３が発射位置から発射準備位置側へ揺動すると、前記操作針金Ｈ１３が打球槌連動部材５０の連動レバー部５０Ａの側面を押して打球槌連動部材５０を揺動させ、これによって前記押し上げ部５０Ｂ側を上方へ揺動させて該押し上げ部５０Ｂと当接する前記球送り機構Ｔの揺動用軸部材Ｔ５を押し上げる。この揺動用軸部材Ｔ５の押し上げによって、前記球送り機構Ｔの球送り部Ｔ３側が上方へ向けて揺動すると共に前記球受け部Ｔ２が球送りカセットＫの基体Ｋ２側（遊技機前面側）へ倒れるように揺動し、該球受け部Ｔ２上の遊技球が球送り部Ｔ３へ移動し、該球送り部Ｔ３で遊技球を保持する。この打球槌Ｈ３の発射準備位置への揺動によって前記引張りバネＨ１５が伸張し、該引張りバネＨ１５の弾性復元力が打球槌Ｈ３に発射位置へ戻る力として加わる。
【００５１】
前記発射モータＨ２によって板カムＨ９がさらに回転し、前記作動ピンＨ１０が板カムＨ９の外周から外れると、図１５に示すように、前記引張りバネＨ１５の引張力により打球槌Ｈ３が瞬時に元の発射位置に戻り、前記発射レール８８下部の発射位置にある遊技球をその打球槌Ｈ３で撃ち、前記遊技領域６に向けて発射させる。その際、前記操作針金Ｈ１３が打球槌Ｈ３と共に元の位置に戻るため、該操作針金Ｈ１３により押し上げられていた打球槌連動部材５０の連動レバー部５０Ａが元の下方位置に戻る。それによって前記打球槌連動部材５０における押し上げ部５０Ｂも元の位置まで下方へ揺動し、それまで前記押し上げ部５０Ｂで押し上げられていた前記球送り機構Ｔの揺動用軸部材Ｔ５が元の位置に下降し、前記球送り機構Ｔの本体部Ｔ１が元の垂直状態になる。前記球送り機構Ｔの本体部Ｔ１が垂直状態に戻ることにより、前記球送り部Ｔ３が元の位置に下降し、前記球送り部Ｔ３で保持されていた遊技球が傾斜した球送り部Ｔ３上を転がって発射レール８８下部の発射位置へ送り込まれ、次の発射用遊技球となる。また、前記球送り機構Ｔの本体部Ｔ１が垂直位置に戻ることにより、前記球受け部Ｔ２上に再び前記遊技球誘導経路４２から遊技球が送り込まれて当該球受け部Ｔ２上で停留する。その後は、前記発射モータＨ２及び板カムＨ９の回転によって前記動作が繰り返され、前記遊技球供給皿３２内の遊技球が順次発射位置へ送り込まれて打球槌Ｈ３により遊技領域へ発射される。
【００５２】
それに対し、前記遊技球供給皿３２から遊技球を球抜きする際には、図１６及びそのＥ−Ｅ断面を示す図１７のように、前記遊技球供給皿３２の球返却ボタンＲが押される。それにより、それまで前記遊技球誘導経路４２内の球抜き口４４に突出していた球抜き口開閉板４６が後退して前記球抜き口４４が開口する。その際、前記のように遊技球誘導経路底面４２１の傾斜角度Ｖ、球抜き口４４の大きさ（開口幅）Ｗ、球受け部Ｔ２の上面に対する球抜き口４４の上流側直前位置における遊技球誘導経路底面４２１の下流端の高さＨに関して調節されているため、前記遊技球誘導経路４２を流下する遊技球は、球抜き口４４の上流側直前まで転動してきた時点で前記球抜き口４４を飛び越しうる速度になり、前記球抜き口４４を飛び越して球受け部Ｔ２に受け止められる。しかし、前記球受け部Ｔ２に受け止められた遊技球に続いて前記遊技球誘導経路４２を流下し、前記球抜き口４４を飛び越してくる後続の遊技球は、前記球受け部Ｔ２で既に受け止められて停留している遊技球と衝突し、前記球受け部Ｔ２に対して上流側直前位置で開口している球抜き口４４へ落下し、前記球抜き経路４３を通って下側球受け皿３４へ球抜きされる。また、前記球受け部Ｔ２で受け止められている遊技球は、前記発射装置Ｈの操作レバーＨ６が操作されて発射モータＨ２が回転中であれば、前記のように球送り機構Ｔが打球槌Ｈ３の発射位置と発射準備位置間の往復揺動に連動して揺動することにより、前記発射レール８８下部の発射位置に送り込まれ、前記打球槌Ｈ３によって遊技領域へ向けて発射される。そして、これによって前記球受け部Ｔ２上が空になるため、前記球抜き口４４を飛び越してくる遊技球が球受け部Ｔ２で受け止められる。したがって、遊技者は、前記球抜き口４４から下側球受け皿３４へ遊技球を球抜きしながらも、遊技球を遊技領域６へ向けて発射させることができる。
【００５３】
また、前記球抜き口４４を開口した状態で、かつ発射装置Ｈを作動させていない場合には、前記球受け部Ｔ２で受け止められた遊技球に続いて遊技球誘導経路４２を流下してくる後続の遊技球は、前記球受け部Ｔ２で既に受け止められている遊技球に衝突して球抜き口４４へ落下し、前記下側球受け皿３４に球抜きされる。そして、最後まで球受け部Ｔ２上に保持された遊技球は、前記球受け部Ｔ２上面の傾斜又は湾曲によって球抜き口４４側へ転動し、球抜き口４４を通って下側球受け皿３４に球抜きされる。したがって、遊技球供給皿３２及び遊技球誘導経路４２内に残留する全ての遊技球を下側球受け皿３４へ球抜きすることができる。
【００５４】
なお、本発明は、上述した実施例に限定されるものではなく、発明の趣旨を逸脱しない範囲において構成の一部を適宜に変更して実施することができる。例えば、上記実施例では、遊技球を発射位置に送り込む球送り機構が、球受け部と球送り部を一体にして設けられているが、これに限定されず、例えば、前記球受け部と球送り部を別部材として設ける適宜の球送り機構を構成するようにしてもよい。また、上記実施例では、球送り機構が前記球抜き口の下流側直前に設けられているが、これに限定されず、球抜き口より下流側の遊技球誘導経路の底面を球抜き口を遊技球が飛び越し可能となるように構成することにより、球送り機構を球抜き口の下流側直前とは異なる位置に設けてもよい。
【図面の簡単な説明】
【００５５】
【図１】この発明の一実施例に係るパチンコ遊技機全体の斜視図である。
【図２】同パチンコ遊技機における一部部品を取り外した状態の全体正面図である。
【図３】同パチンコ遊技機の遊技球供給皿付近を示す斜視図である
【図４】同パチンコ遊技機の遊技球供給皿の取付板を省略して示す遊技球供給皿の裏側正面図である。
【図５】球送りカセットの分解斜視図である。
【図６】球送りカセットの蓋部材と基体の裏側正面図である。
【図７】球送りカセットと押し上げ部を示す斜視図である。
【図８】球送りカセットと発射レールが組み付けられた状態を示す斜視図である。
【図９】球送りカセットの裏側正面図である。
【図１０】発射装置の分解斜視図である。
【図１１】通常時の遊技球供給状態について遊技球供給皿の取付板を省略して示す遊技球供給皿の裏側正面図である。
【図１２】その取付板と共に示す遊技球供給皿のＡ−Ａ概略断面図である。
【図１３】（ａ）は打球槌が発射位置にあるときの打球槌と球送りカセットを示す遊技機正面側からの要部正面図、（ｂ）はその要部のＢ−Ｂ断面図である。
【図１４】（ａ）は打球槌が発射準備位置にあるときの打球槌と球送りカセットを示す遊技機正面側からの要部正面図、（ｂ）はその要部のＣ−Ｃ断面図である。
【図１５】（ａ）は打球槌が発射位置に復帰したときの打球槌と球送りカセットを示す遊技機正面側からの要部正面図、（ｂ）はその要部のＤ−Ｄ断面図である。
【図１６】球抜き時の状態について遊技球供給皿の取付板を省略して示す遊技球供給皿の裏側正面図である。
【図１７】その取付板と共に示す遊技球供給皿のＥ−Ｅ概略断面図である。
【符号の説明】
【００５６】
１  弾球遊技機
６  遊技領域
３２  遊技球供給皿
４２  遊技球誘導経路
４４  球抜き口
４６  開閉板
Ｔ    球送り機構
Ｔ２  球受け部
Ｔ３  球送り部
Ｈ    発射装置
Ｐ１  遊技球
Ｖ  傾斜角度
Ｗ  球抜き口の大きさ
【図１】
2005230581.tif 000003
【図２】
2005230581.tif 000004
【図３】
2005230581.tif 000005
【図４】
2005230581.tif 000006
【図５】
2005230581.tif 000007
【図６】
2005230581.tif 000008
【図７】
2005230581.tif 000009
【図８】
2005230581.tif 000010
【図９】
2005230581.tif 000011
【図１０】
2005230581.tif 000012
【図１１】
2005230581.tif 000013
【図１２】
2005230581.tif 000014
【図１３】
2005230581.tif 000015
【図１４】
2005230581.tif 000016
【図１５】
2005230581.tif 000017
【図１６】
2005230581.tif 000018
【図１７】
2005230581.tif 000019